(57)【要約】【課題】  導光体が複数の導光部を有していても、この導光体をケース内に固定する作業を簡単にすることができる電子機器を提供する。【解決手段】  隣同士で間隔を置いて配置される複数の光源１６と、内部空間を有して前記複数の光源を当該内部空間内に保持すると共に、前記複数の光源の各々に対応して外部に開口する複数の発光窓１８、及び当該発光窓同士の中間位置から内部空間側に突出する遮光板２０ａを有するケース４と、一方の端部が前記複数の発光窓の各々に位置して、前記複数の光源が発する各々の光を当該複数の発光窓に導く複数の導光部３２、及び当該複数の導光部を当該導光部における中間位置で互いに連結し、前記遮光板と嵌合するスリット４０が設けられた連結部３６を有する導光体１４とを備えるようにした。【選択図】      図４
2007109756.tif 000002
【特許請求の範囲】
【請求項１】
隣同士で間隔を置いて配置される複数の光源と、
内部空間を有して前記複数の光源を当該内部空間内に保持すると共に、前記複数の光源の各々に対応して外部に開口する複数の発光窓、及び当該発光窓同士の中間位置から内部空間側に突出する遮光板を有するケースと、
一方の端部が前記複数の発光窓の各々に位置して、前記複数の光源が発する各々の光を当該複数の発光窓に導く複数の導光部、及び当該複数の導光部を当該導光部における中間位置で互いに連結し、前記遮光板と嵌合するスリットが設けられた連結部を有する導光体と
を備えることを特徴とする電子機器。
【請求項２】
前記遮光板は、基部側の厚さ寸法が先端部側の厚さ寸法よりも大きい寸法で形成されていると共に、
前記スリットは、少なくとも当該スリットの長さ方向における前記遮光板に嵌合する長さ範囲の幅寸法が、前記遮光板における基部の厚さ寸法と同じ若しくはそれよりも小さくて先端部の厚さ寸法よりも大きい寸法で形成されていることを特徴とする請求項１に記載の電子機器。
【請求項３】
前記スリットは、当該スリットの長さ方向における前記遮光板に嵌合する長さ範囲よりも開放側の長さ範囲が狭窄して形成されていることを特徴とする請求項１又は２に記載の電子機器。
【請求項４】
隣同士で間隔を置いて配置される複数の光源と、
内部空間を有して前記複数の光源を当該内部空間内に保持すると共に、前記複数の光源の各々に対応して外部に開口する複数の発光窓、及び当該発光窓同士の中間位置から内部空間側に突出する遮光板を有するケースと、
一方の端部が前記複数の発光窓の各々に位置して、前記複数の光源が発する各々の光を当該複数の発光窓に導く複数の導光部、及び当該複数の導光部を当該導光部における中間位置で互いに連結し、前記遮光板と嵌合する長孔が形成された連結部を有する導光体と
を備えることを特徴とする電子機器。
【請求項５】
前記遮光板は、基部側の厚さ寸法が先端部側の厚さ寸法よりも大きい寸法で形成されていると共に、
前記長孔は、幅寸法が前記遮光板の基部の厚さ寸法と同じ若しくはそれよりも小さい寸法で形成されることを特徴とする請求項４に記載の電子機器。
【請求項６】
前記遮光板は、先端部側の厚さ寸法が基部側の厚さ寸法よりも小さい寸法で形成されていることを特徴とする請求項１又は４に記載の電子機器。
【請求項７】
前記遮光板は、当該遮光板の厚さ方向に高さを有し、当該遮光板の高さ方向に伸びる側面リブを含んで構成されていることを特徴とする請求項１ないし６のいずれか一に記載の電子機器。
【請求項８】
前記ケースは、内部空間内に突出するピンを有すると共に、
前記連結部は、前記ピンに対応する通し孔を有し、
前記連結部が前記ピンに固着されることを特徴とする請求項１又は４に記載の電子機器。
【請求項９】
前記複数の導光部は、前記光源側の端部が前記回路基板に当接することを特徴とする請求項１又は４に記載の電子機器。
【発明の詳細な説明】
【技術分野】
【０００１】
本発明は、ケース内部の光源が発する光を、ケース表面上に開口する発光窓まで導く導光体を有する電子機器に関するものである。
【背景技術】
【０００２】
従来において、透光性を有する導光体が、ケース内部に固定される構造の電子機器があった（例えば、特許文献１参照）。この特許文献１に係る電子機器は、図示しないが、ケース内部の基板上に等間隔に並んで配置される３つのＬＥＤ（発光ダイオード）を有しており、この３つのＬＥＤの各々が発する光を、導光体がケース表面上に並んで開口する３つの発光窓まで導くようになっている。
【０００３】
この導光体は、ＬＥＤの個数に対応して３枚の板状の導光部を有している。各導光部は一定の厚さを有しており、その平面形状は略Ｌ字状であって、略Ｌ字の縦画（長い方の長さ部分）の先端部には、この縦画の長さ方向と直角の向きであってＬ字の横画（短い方の長さ部分）の部分と反対側に膨らむ拡幅部が形成されている。そして、各導光部は、互いの厚さ方向に重なり合うように等間隔で配置されている。
【０００４】
また、導光体は、上記各導光部の厚さ方向に長さを有する１本の棒状の連結部を有しており、この連結部は、各導光部の略Ｌ字の縦画と横画の両方に接するように配置されている。導光体は、このような３枚の導光部と１本の連結部が一体的に成型されている。
【０００５】
また、導光体はその３枚の導光部が、これら導光部の各々に対応してケース内壁に立設される各ガイド部に嵌め込まれることにより、ケース内壁に固定される構造になっている。各ガイド部は、３枚の導光部が嵌め込まれた後は、各導光部から漏れる光が互いに他の導光部に入り込まないように、遮光する役割を果たすようになっている。
【０００６】
導光体は、各導光部の略Ｌ字の縦画の部分がケース内壁に沿うように取付けられ、略Ｌ字の縦画の先端部に設けられた拡幅部が、ケース表面上の３つの発光窓から外部に露出される。ＬＥＤの光は、各導光部の略Ｌ字の横画の先端部から入り、縦画の拡幅部からケースの外部に放射される。
【特許文献１】特開２００５−１９１２６９号公報
【発明の開示】
【発明が解決しようとする課題】
【０００７】
しかしながら、前記特許文献１に係る電子機器では、導光体をケース内壁に固定する作業の際に、導光体の３枚の導光部と、この３枚の導光部に対応するガイド部との各々の相対位置や角度を同時に調整して一致させる必要があるため、取付作業が非常に煩わしいという問題があった。
【０００８】
また、前記特許文献１に係る電子機器とは異なる他の電子機器であって、前記特許文献１に係る電子機器と同様に、複数の導光部が一体的に形成された導光体を、ケース内壁に各導光部に対応して立設される各ガイド部に嵌め込むようになっている構造のものにおいても、前記特許文献１に係る電子機器と同様の問題があった。
【０００９】
そこで本発明は、上記問題点に鑑みて、導光体が複数の導光部を有していても、この導光体をケース内に固定する作業を簡単にすることができる電子機器を提供することを課題とするものである。
【課題を解決するための手段】
【００１０】
上記課題を解決するために、本発明の電子機器は、
隣同士で間隔を置いて配置される複数の光源と、
内部空間を有して前記複数の光源を当該内部空間内に保持すると共に、前記複数の光源の各々に対応して外部に開口する複数の発光窓、及び当該発光窓同士の中間位置から内部空間側に突出する遮光板を有するケースと、
一方の端部が前記複数の発光窓の各々に位置して、前記複数の光源が発する各々の光を当該複数の発光窓に導く複数の導光部、及び当該複数の導光部を当該導光部における中間位置で互いに連結し、前記遮光板と嵌合するスリットが設けられた連結部を有する導光体とを備えることを特徴とするものである。
【００１１】
また、本発明による電子機器は、
前記遮光板は、基部側の厚さ寸法が先端部側の厚さ寸法よりも大きい寸法で形成されていると共に、
前記スリットは、少なくとも当該スリットの長さ方向における前記遮光板に嵌合する長さ範囲の幅寸法が、前記遮光板における基部の厚さ寸法と同じ若しくはそれよりも小さくて先端部の厚さ寸法よりも大きい寸法で形成されていることを特徴とするものである。
【００１２】
また、本発明による電子機器は、前記スリットが、当該スリットの長さ方向における前記遮光板に嵌合する長さ範囲よりも開放側の長さ範囲が狭窄して形成されていることを特徴とするものである。
【００１３】
また、本発明による電子機器は、
隣同士で間隔を置いて配置される複数の光源と、
内部空間を有して前記複数の光源を当該内部空間内に保持すると共に、前記複数の光源の各々に対応して外部に開口する複数の発光窓、及び当該発光窓同士の中間位置から内部空間側に突出する遮光板を有するケースと、
一方の端部が前記複数の発光窓の各々に位置して、前記複数の光源が発する各々の光を当該複数の発光窓に導く複数の導光部、及び当該複数の導光部を当該導光部における中間位置で互いに連結し、前記遮光板と嵌合する長孔が形成された連結部を有する導光体とを備えることを特徴とするものである。
【００１４】
また、本発明による電子機器は、
前記遮光板は、基部側の厚さ寸法が先端部側の厚さ寸法よりも大きい寸法で形成されていると共に、
前記長孔は、幅寸法が前記遮光板の基部の厚さ寸法と同じ若しくはそれよりも小さい寸法で形成されることを特徴とするものである。
【００１５】
また、本発明による電子機器は、前記遮光板は、先端部側の厚さ寸法が基部側の厚さ寸法よりも小さい寸法で形成されていることを特徴とするものである。
【００１６】
また、本発明による電子機器は、前記遮光板が、当該遮光板の厚さ方向に高さを有し、当該遮光板の高さ方向に伸びる側面リブを含んで構成されていることを特徴とするものである。
【００１７】
また、本発明による電子機器は、
前記ケースは、内部空間内に突出するピンを有すると共に、
前記連結部は、前記ピンに対応する通し孔を有し、
前記連結部が前記ピンに固着されることを特徴とするものである。
【００１８】
また、本発明による電子機器は、前記複数の導光部が、前記光源側の端部が前記回路基板に当接することを特徴とするものである。
【発明の効果】
【００１９】
このような本発明の電子機器によれば、導光体が複数の導光部を有していても、この導光体をケース内に固定する作業を簡単にすることができる。
【発明を実施するための最良の形態】
【００２０】
以下、本発明に係る電子機器の実施の形態について、図面に基づいて具体的に説明する。
図１ないし図６は、本発明の第１の実施の形態に係る無線通信カード２（電子機器に相当）について説明するために参照する図である。本実施の形態に係る無線通信カード２は、例えば、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に適合するように作成することができるものである。
【００２１】
図１に示すように、本実施の形態に係る無線通信カード２は、合成樹脂製のケース４を備えている。ケース４は、その厚さ方向に接合する上側ケース６と下側ケース８を備えて構成されている。この上側ケース６と下側ケース８の間に形成される内部の空間には、図２に示すように、回路基板１０、コネクタ１２及び導光体１４が収納されている。
【００２２】
コネクタ１２は、回路基板１０の長さ方向（図２中、紙面の左右方向）の一方の端部に固定されており、この回路基板１０上に印刷された電気回路と回路接続している。そして、コネクタ１２は、図１に示すように、ケース４の上側ケース６と下側ケース８に挟まれた組立て後の状態において、その多数のピン差込口が、このケース４の長さ方向の一方の端面から露出するようになっている。これにより、無線通信カード２は、パーソナルコンピュータ等のスロットに挿込まれたときに、このスロット内のプラグとコネクタ１２が回路接続するようになっている。
【００２３】
また、図２に示す回路基板１０の上側ケース６側の面１０ａ上には、この回路基板１０の幅方向（図２中、紙面に直角の方向）に、一定の間隔を置いて並ぶ２つのＬＥＤ（発光ダイオード）１６（光源に相当）が固定されている。この回路基板１０には、図示しないが、ＬＥＤ１６以外にも、アンテナ、着信報知用バイブレータ、及びその他の多数の電子部品が実装されている。
【００２４】
また、上側ケース６は、その長さ方向におけるコネクタ１２とは反対側の端部に、組立て後において回路基板１０と互いに略平行に一定距離だけ離隔する平板部６ａを有している。そして、この平板部６ａには、図２ないし図４に示すように、回路基板１０上の２つのＬＥＤ１６の各々に対向する位置に開口する２つの発光窓１８が形成されている。
【００２５】
また、平板部６ａの内壁面には、図３に示すように、平面形状が略「Ｈ」字状であって、図２及び図４に示すように、内部空間側に高さを有するリブ２０が形成されている。このリブ２０は、図３に示すように、その平面形状の「Ｈ」字における２本の縦画部分（図中にて縦に伸びる部分）が、互いの対向方向に２つの発光窓１８を挟むように配置され、「Ｈ」字の横画部分（図中にて横に伸びる部分）が２つの発光窓１８間の中間位置を通るように配置されている。
【００２６】
また、リブ２０は、その平面形状の「Ｈ」字における横画部分の長さ中間部分が、図２及び図４に示すように、他の部分よりも高く形成されている。以後の説明において、このリブ２０の高く形成されている部分（遮光板に相当）を他の部分と区別して、符号「２０ａ」で表わすものとする。
【００２７】
上記他の部分よりも高く形成されているリブ２０ａは、図２ないし図４に示すように、その長さ方向（リブ２０の平面形状の「Ｈ」字における横画部分の長さ方向）の両方の端部寄りの位置の側面上であって、このリブ２０ａの長さ方向に略直角の両方向に突出し、かつリブ２０ａの高さ方向に伸びる計４本の側面リブ２０ｂを含んで構成されている。
【００２８】
リブ２０ａは、平板部６ａの内壁面からの任意の高さにおいて、その両側面上の側面リブ２０ｂの発光窓１８に対向する各面により挟まれる部分の寸法が、この任意の高さでのリブ２０ａの実質的な厚さ寸法として機能する。リブ２０ａは、その基部側（平板部６ａ側）の実質的な厚さ寸法が、高さ方向における先端部側の実質的な厚さ寸法よりも大きくなるように、側面リブ２０ｂの発光窓１８に対向する各面は傾斜して形成されている。
【００２９】
また、図３に示すように、リブ２０の平面形状の「Ｈ」字における２本の縦画部の、互い違いに位置する各一方の端部上（リブ２０の高さ方向の先端面上）には、内部空間側に一定高さを有するピン２４が植設されている。
【００３０】
次に、導光体１４は、透光性を有する合成樹脂製であって、図２及び図４に示すような、２枚の導光板３２（導光部に相当）を有している。この２枚の導光板３２の各々は、その長さ方向が上側ケース６の平板部６ａと直角方向に向くと共に、幅方向が上側ケース６の長さ方向と平行に向いており、発光窓１８の位置に対応して互いに平行に並んでいる。
【００３１】
後述するように、この導光体１４は、各導光板３２の上側ケース６側の端部が、上側ケース６の発光窓１８に位置する。その具体例としては、各導光板３２の上側ケース６側の端部が発光窓１８に入り込むようになっている（図６参照）。また、各導光板３２には、図２に示すように、回路基板１０側の端面からこの導光板３２の長さ方向において一定深さを有する凹部３４が、導光板３２の幅方向の略中央の位置に形成されている。
【００３２】
また、導光体１４は、この２枚の導光板３２の長さ方向の中間位置において、これら２枚の導光板３２を一体的に連結する１枚のフランジ状の連結板３６（連結部に相当）を有している。導光体１４は、２枚の導光板３２と１枚の連結板３６との一体成型品として製作することができる。
【００３３】
連結板３６は、図５に示すように、その平面形状が略矩形状であって、一方のほぼ対角線上の各隅部に、ピン２４に対応する通し孔３８が形成されている。また、連結板３６は、導光板３２の幅方向（図５中、紙面の左右方向）と平行方向に長さを有し、２枚の導光板３２間の中間位置を通り、一端部が開放されているスリット４０が形成されている。
【００３４】
このスリット４０の幅寸法は、図４に示すリブ２０ａの基部の実質的な厚さ寸法よりも狭くて、同じくリブ２０ａの高さ方向における先端部の実質的な厚さ寸法よりも広く形成されている。ここで、本実施の形態においてスリット４０とは、図５に示すように、長さ方向の一端が開放され他端が閉止されるよう形成されたものをいうこととし、長さ方向の両端が閉止されるように形成された長孔（図８の符号６４を参照）を含まないものとする。
【００３５】
本実施の形態に係る無線通信カード２の組立て作業の際に、導光体１４を上側ケース６に取付けるには、まず、図４に示すように、導光体１４を上側ケース６のリブ２０ａの高さ延長上の位置に持っていき、上側ケース６側に近付けていく。そして、導光体１４の連結板３６のスリット４０に上側ケース６のリブ２０ａを緩く入り込ませてから、そのまま連結板３６が、リブ２０のリブ２０ａ以外の部分の先端面（ピン２４が植設されている面）に当接するまで押し進める（図６参照）。
【００３６】
これにより、導光体１４における各導光板３２の上側ケース６側の端部が、上側ケース６の発光窓１８に入り込むと共に、図示しないが、連結板３６の通し孔３８には、上側ケース６のピン２４が入り込む（図２参照）。ピン２４の連結板３６から突き出た部分は、熱したコテ等を当てて溶解させることにより、図６に示すような大径部２４ａに変形させ、導光体１４の連結板３６と溶着させる。
【００３７】
そして、導光体１４を上側ケース６に取付けた後は、上側ケース６と下側ケース８との間の内部空間に回路基板１０を収納させて、上側ケース６と下側ケース８とを接合する。導光体１４は、各導光板３２のＬＥＤ１６側の端面が回路基板１０に当接するようになると共に、凹部３４がＬＥＤ１６を覆うようになる。また、上側ケース６のリブ２０ａは、各ＬＥＤ１６の光のうち、各ＬＥＤ１６に対向する導光板３２に反射等で入射しなかった光あるいは各導光板３２から漏れる光が他方の導光板３２に入射しないように遮光するようになる。
【００３８】
このような本実施の形態に係る無線通信カード２によれば、図４に示すように、導光体１４の連結板３６が、各導光板３２をこの導光板３２におけるＬＥＤ１６と発光窓１８を結ぶ方向の中間位置で互いに連結するように設けられると共に、この連結板３６にリブ２０ａと嵌合するスリット４０を設けたので、導光体１４を上側ケース６に固定する作業の際には、各導光板３２の上側ケース６側の端部が、上側ケース６の発光窓１８に位置する前（入り込む前）に、連結板３６のスリット４０に上側ケース６のリブ２０ａが緩やかに入り込むようになるため、発光窓１８に対するおおよその位置が簡単に定まり、この導光体１４を上側ケース６に固定する作業を簡単にすることができる。
【００３９】
また、リブ２０ａは、その基部側の実質的な厚さ寸法が、高さ方向における端面側の実質的な厚さ寸法よりも大きくなるように形成されているので、導光体１４は、押し進められるに従って、そのスリット４０とリブ２０ａとの間のがたつきが徐々に小さくなり、上側ケース６の発光窓１８に対する位置がほぼ正確に定まってから、各導光板３２の上側ケース６側の端部が、この発光窓１８に入り込むようになるため、導光体１４を上側ケース６に固定する作業を簡単にすることができる。
【００４０】
また、連結板３６のスリット４０の幅寸法は、上側ケース６のリブ２０ａの基部の厚さ寸法よりも小さいため、リブ２０ａの基部側においてスリット４０はその幅寸法が若干広がることにより、弾性力でリブ２０ａを挟持するように作用するため、無線通信カード２の組立て作業中に導光体１４が脱落してしまうのを防止することができる。
【００４１】
また、リブ２０ａは、連結板３６のスリット４０に嵌合すると、側面リブ２０ｂの発光窓１８側の傾斜面だけがスリット４０の内壁に接触して（図３ないし図５参照）、この側面リブ２０ｂに加わる接触応力が大きくなるので、側面リブ２０ｂが、リブ２０ａの厚さ方向に変形する。このため、リブ２０ａ又はスリット４０を製作誤差を含んで形成してしまっても、この製作誤差をスリット４０の弾性力や側面リブ２０ｂの変形により吸収して、導光体１４を上側ケース６に確実に固定することができる。
【００４２】
なお、製作誤差を無視できる程度の高い精度でリブ２０ａ及びスリット４０を製作する場合には、スリット４０の幅寸法はリブ２０ａの基部の厚さ寸法（側面リブ２０ｂを含む厚さ寸法）と同じにしてもよく、その場合スリット４０とリブ２０ａはぴったり嵌まり固定できる。
【００４３】
また、導光体１４の連結板３６とリブ２０のピン２４を溶着させるようにしたため、無線通信カード２の組立て終了後においても、導光体１４がケース４の内部に脱落してしまうのを防止することができる。
【００４４】
また、上側ケース６のリブ２０ａは、導光体１４における２枚の導光板３２間の中間位置に設けられたスリット４０と嵌合するため、各導光板３２から漏れる光が他方の導光板３２に入り込まないように遮光することができる。
【００４５】
また、無線通信カード２の組立て後は、導光体１４は、図６に示すように、その導光板３２のＬＥＤ１６側の端面が回路基板１０に当接しているので、ケース４の外部から発光窓１８を通って導光体１４に直接外力が加わった場合でも、導光体１４は回路基板１０から支持反力を受けるため、導光体１４がケース４の内部に脱落してしまうのを防止することができる。
【００４６】
次に、図１ないし図４、図６及び図７に基づいて本発明の第２の実施の形態に係る無線通信カード５０（電子機器に相当）について説明する。これらの図に示す無線通信カード５０は、前記第１の実施の形態に係る無線通信カード２と同様の部分には同じ符号を付して説明し、同様の構成についての重複する説明は省略するものとする。
【００４７】
本実施の形態に係る無線通信カード５０は、図１に示すように、前記第１の実施の形態に係る無線通信カード２と同様に、ケース４を備えており、このケース４の上側ケース６と下側ケース８の間の空間には、図２に示すように、やはり前記第１の実施の形態に係る無線通信カード２と同様の回路基板１０及びコネクタ１２が収納されている。
【００４８】
そして、本実施の形態に係る無線通信カード５０では、前記第１の実施の形態に係る無線通信カード２の導光体１４の代わりに、導光体５２を備えている。この導光体５２の連結板３６は、図７に示すように、スリット５４の長さ方向（図７中、紙面の左右方向）における、リブ２０ａに嵌合する長さ範囲よりも開放側の長さ範囲が、狭窄して形成されている。また、導光体５２の連結板３６には、通し孔３８が形成されていない。図示しないが、これに対応して上側ケース６には、ピン２４（図２参照）が形成されない。
【００４９】
このような本実施の形態に係る無線通信カード５０によれば、前記第１の実施の形態と同様に、図４に示すように、導光体１４の連結板３６が、各導光板３２をこの導光板３２におけるＬＥＤ１６と発光窓１８を結ぶ方向の中間位置で互いに連結するように設けられると共に、この連結板３６にリブ２０ａと嵌合するスリット５４を設けたので、導光体５２を上側ケース６に固定する作業の際には、各導光板３２の上側ケース６側の端部が、上側ケース６の発光窓１８に位置する前（入り込む前）に、連結板３６のスリット５４に上側ケース６のリブ２０ａが緩やかに入り込むようになるため、発光窓１８に対するおおよその位置が簡単定まり、この導光体５２を上側ケース６に固定する作業を簡単にすることができる。
【００５０】
また、前記第１の実施の形態と同様に、リブ２０ａは、その基部側の実質的な厚さ寸法が、高さ方向における端面側の実質的な厚さ寸法よりも大きくなるように形成されているので、導光体５２は、押し進められるに従って、そのスリット５４とリブ２０ａとの間のがたつきが徐々に小さくなり、上側ケース６の発光窓１８に対する位置がほぼ正確に定まってから、各導光板３２の上側ケース６側の端部が、この発光窓１８に入り込むようになるため、導光体５２を上側ケース６に固定する作業を簡単にすることができる。
【００５１】
また、前記第１の実施の形態と同様に、連結板３６のスリット５４におけるその長さ方向のリブ２０ａに対応する長さ範囲の幅寸法は、上側ケース６のリブ２０ａの基部の厚さ寸法よりも小さいため、リブ２０ａの基部側においてスリット５４はその幅寸法が若干広がることにより、弾性力でリブ２０ａを挟持するように作用するため、無線通信カード２の組立て作業中に導光体１４が脱落してしまうのを防止することができる。
【００５２】
また、導光体５２の連結板３６は、スリット５４の長さ方向における、リブ２０ａに嵌合する長さ範囲よりも開口側の長さ範囲が狭窄して形成されていることにより、導光体５２の上側ケース６への取り付け作業中に、リブ２０ａとスリット５４が、このスリット５４の長さ方向にずれてしまうことを防止することができる。
【００５３】
また、前記第１の実施の形態と同様に、リブ２０ａは、連結板３６のスリット５４に嵌合すると、側面リブ２０ｂの発光窓１８側の傾斜面だけがスリット５４の内壁に接触して（図３、図４及び図７参照）、この側面リブ２０ｂに加わる接触応力が大きくなるので、側面リブ２０ｂが、リブ２０ａの厚さ方向に変形する。このため、リブ２０ａ又はスリット５４を製作誤差を含んで形成してしまっても、この製作誤差をスリット５４の弾性力や側面リブ２０ｂの変形により吸収して、導光体１４を上側ケース６に確実に固定することができる。
【００５４】
なお、製作誤差を無視できる程度の高い精度でリブ２０ａ及びスリット５４を製作する場合には、スリット５４の幅寸法（側面リブ２０ｂに嵌合する長さ範囲における幅寸法）はリブ２０ａの基部の厚さ寸法（側面リブ２０ｂを含む厚さ寸法）と同じにしてもよく、その場合スリット５４とリブ２０ａはぴったり嵌まり固定できる。
【００５５】
また、前記第１の実施の形態と同様に、上側ケース６のリブ２０ａは、導光体１４における２枚の導光板３２間の中間位置に設けられたスリット５４と嵌合するため、各導光板３２から漏れる光等の光が他方の導光板３２に入り込まないように遮光するようになる。
【００５６】
また、前記第１の実施の形態と同様に、無線通信カード５０の組立て後は、導光体５２は、図６に示すように、その導光板３２のＬＥＤ側の端面が回路基板１０に当接しているので、ケース４の外部から発光窓１８を通って導光体５２に直接外力が加わった場合でも、導光体５２は回路基板１０から支持反力を受けるため、導光体５２がケース４の内部に脱落してしまうのを防止することができる。
【００５７】
次に、図１ないし図４、図６及び図８に基づいて本発明の第３の実施の形態に係る無線通信カード６０（電子機器に相当）について説明する。
【００５８】
本実施の形態に係る無線通信カード６０では、前記第１の実施の形態に係る無線通信カード２の導光体１４の代わりに、導光体６２を備えている。この導光体６２の連結板３６は、図８に示すように、導光板３２の幅方向（図８中、紙面の左右方向）と平行方向に長さを有し、２枚の導光板３２間の中間位置を通る長孔６４が形成されている。
【００５９】
この長孔６４の幅寸法は、前記第１の実施の形態と同様に、図４に示すように、リブ２０ａの基部の実質的な厚さ寸法よりも狭く、同じくリブ２０ａの高さ方向における先端部の実質的な厚さ寸法よりも広く形成されている。また、長孔６４の長さ寸法は、リブ２０ａの長さ寸法に対応している。
【００６０】
このような本実施の形態に係る無線通信カード６０によれば、前記第１及び第２の実施の形態と同様に、図４に示すように、導光体１４の連結板３６が、各導光板３２をこの導光板３２におけるＬＥＤ１６と発光窓１８を結ぶ方向の中間位置で互いに連結するように設けられると共に、この連結板３６にリブ２０ａと嵌合する長孔６４を設けたので、導光体６２を上側ケース６に固定する作業の際には、各導光板３２の上側ケース６側の端部が、上側ケース６の発光窓１８に位置する前（入り込む前）に、連結板３６の長孔６４に上側ケース６のリブ２０ａが緩やかに入り込むようになるため、発光窓１８に対するおおよその位置が簡単に定まり、この導光体６２を上側ケース６に固定する作業を簡単にすることができる。
【００６１】
また、前記第１及び第２の実施の形態と同様に、リブ２０ａは、その基部側の実質的な厚さ寸法が、高さ方向における端面側の実質的な厚さ寸法よりも大きくなるように形成されているので、導光体６２は、押し進められるに従って、その長孔６４とリブ２０ａとの間のがたつきが徐々に小さくなり、上側ケース６の発光窓１８に対する位置がほぼ正確に定まってから、各導光板３２の上側ケース６側の端部が、この発光窓１８に入り込むようになるため、導光体６２を上側ケース６に固定する作業を簡単にすることができる。
【００６２】
また、導光体６２における連結板３６の長孔６４は、その長さ寸法がリブ２０ａの長さ寸法に対応しているため、導光体６２の上側ケース６への取り付け作業中に、リブ２０ａと長孔６４が、この長孔６４の長さ方向にずれてしまうことを防止することができる。
【００６３】
また、前記第１及び第２の実施の形態と同様に、リブ２０ａは、連結板３６の長孔６４に嵌合すると、側面リブ２０ｂの発光窓１８側の傾斜面だけが長孔６４の内壁に接触して（図３、図４及び図８参照）、この側面リブ２０ｂに加わる接触応力が大きくなるので、側面リブ２０ｂが、リブ２０ａの厚さ方向に変形する。このため、リブ２０ａ又は長孔６４を製作誤差を含んで形成してしまっても、この製作誤差を側面リブ２０ｂの変形により吸収して、導光体１４を上側ケース６に確実に固定することができる。
【００６４】
なお、製作誤差を無視できる程度の高い精度でリブ２０ａ及び長孔６４を製作する場合には、長孔６４の幅寸法はリブ２０ａの基部の厚さ寸法（側面リブ２０ｂを含む厚さ寸法）と同じにしてもよく、その場合長孔６４とリブ２０ａはぴったり嵌まり固定できる。
【００６５】
また、前記第１の実施の形態と同様に、導光体６２の連結板３６とリブ２０のピン２４を溶着させるようにしたため、無線通信カード２の組立て終了後においても、導光体６２がケース４の内部に脱落してしまうのを防止することができる。
【００６６】
また、前記第１及び第２の実施の形態と同様に、上側ケース６のリブ２０ａは、導光体１４における２枚の導光板３２間の中間位置に設けられた長孔６４と嵌合するため、各導光板３２から漏れる光等の光が他方の導光板３２に入り込まないように遮光するようになる。
【００６７】
また、前記第１及び第２の実施の形態と同様に、無線通信カード６０の組立て後は、導光体６２は、図６に示すように、その導光板３２のＬＥＤ１６側の端面が回路基板１０に当接しているので、ケース４の外部から発光窓１８を通って導光体６２に直接外力が加わった場合でも、導光体６２は回路基板１０から支持反力を受けるため、導光体６２がケース４の内部に脱落してしまうのを防止することができる。
【００６８】
なお、前記第１及び第３の実施の形態では、上側ケース６にピン２４を設けると共に、導光体１４，６２の連結板３６に通し孔３８を設けたが、これらを設けないようにしてもよい。また、前記第２の実施の形態では、上側ケース６にピン２４を設けないようにすると共に、導光体１４，６２の連結板３６に通し孔３８を設けないようにしたが、これらを設けるようにしてもよい。
【００６９】
また、前記第１及び第３の実施の形態では、無線通信カード２がケース４の回路基板１０上にＬＥＤ１６を２つだけ保持するようになっていたが、３つ以上のＬＥＤ１６を保持するようになっていてもよい。
【００７０】
このような場合には、この３つ以上のＬＥＤ１６に対応して、上側ケース６に発光窓１８が３つ以上形成されるようになると共に、各発光窓１８の中間位置にリブ２０ａが形成されるようになり、また、導光体１４が３枚以上の導光板３２を有するようになると共に、各導光板３２の中間位置にスリット４０，５４又は長孔６４が形成されるようになることはいうまでもない。
【００７１】
また、前記第１及び第３の実施の形態では、リブ２０ａは、側面リブ２０ｂを含んで構成されていたが、リブ２０ａは、側面リブ２０ｂを含まないように構成されて、側面が平坦に形成されていてもよい。このような場合でも、リブ２０ａは、その基部側の厚さ寸法が、高さ方向における先端部側の厚さ寸法よりも大きくなるように形成されていてもよい。
【００７２】
また、前記第１及び第３の実施の形態では、導光体１４，５２，６２は、板状の導光板３２を有していたが、この導光板３２の代わりに、例えば棒状のような、他の形状の導光部を有するようになっていてもよい。
【００７３】
また、前記第１の実施の形態において、図５に示す導光体１４のスリット４０は、その長さ方向のほぼ全体にわたって、上側ケース６のリブ２０ａの実質的な厚さ寸法に対応する幅を有するように形成されていたが、スリット４０は、少なくとも、その長さ方向におけるリブ２０ａに嵌合する長さ範囲だけが、このリブ２０ａの厚さ寸法に対応する幅を有するように形成されて、他の長さ範囲において幅寸法がリブ２０ａの厚さ寸法に対応しないようになっていてもよい。
【００７４】
また、前記第１ないし第３の実施の形態では、無線通信カード２，５０，６０に対して本発明を適用した場合について説明したが、無線通信カード２，５０，６０以外の他のＰＣカードについても本発明を適用することができる。また、例えば、携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置等のような、無線通信カード２，５０，６０以外の他の電子機器についても本発明を適用することができることはいうまでもない。
【図面の簡単な説明】
【００７５】
【図１】本発明の第１ないし第３の実施の形態に係る無線通信カード２，５０，６０を示す斜視図である。
【図２】本発明の第１ないし第３の実施の形態に係る無線通信カード２，５０，６０の図１に示すケース４の上側ケース６及び下側ケース８、並びにこのケース４内に収納される回路基板１０、コネクタ１２、及び導光体１４，５２，６２の組立て前の状態を示す分解側面図である。
【図３】図２に示す上側ケース６のＡ−Ａ線矢視拡大図である。
【図４】図２に示すケース４の上側ケース６及び下側ケース８、並びにこのケース４内に収納される回路基板１０及び導光体１４，５２，６２の組立て前の状態を示すＢ−Ｂ線矢視断面図である。
【図５】図２に示す第１の実施の形態に係る導光体１４のＣ−Ｃ線矢視拡大図である。
【図６】図２に示すケース４の上側ケース６及び下側ケース８、並びにこのケース４内に収納される回路基板１０及び導光体１４，５２，６２の組立て後の状態を示すＢ−Ｂ線矢視断面図である。
【図７】図２に示す第２の実施の形態に係る導光体５２のＣ−Ｃ線矢視拡大図である。
【図８】図２に示す第３の実施の形態に係る導光体６２のＣ−Ｃ線矢視拡大図である。
【符号の説明】
【００７６】
２  無線通信カード
４  ケース
６  上側ケース
６ａ  平板部
８  下側ケース
１０  回路基板
１２  コネクタ
１４  導光体
１６  ＬＥＤ
１８  発光窓
２０，２０ａ  リブ
２０ｂ  側面リブ
２４  ピン
２４ａ  大径部
３２  導光板
３４  凹部
３６  連結板
３８  通し孔
４０  スリット
５０  無線通信カード
５２  導光板
５４  スリット
６０  無線通信カード
６２  導光体
６４  長孔
【図１】
2007109756.tif 000003
【図２】
2007109756.tif 000004
【図３】
2007109756.tif 000005
【図４】
2007109756.tif 000006
【図５】
2007109756.tif 000007
【図６】
2007109756.tif 000008
【図７】
2007109756.tif 000009
【図８】
2007109756.tif 000010